(57)【要約】      （修正有）【課題】簡単にフローリング床材の貼り替えが可能であると共に、そのまま残して再利用できるようにする。【解決手段】冷暖房装置は、放熱シート５の表面であって小根太２にかかるように基材シート６を粘着し、この基材シート６の上面であって、小根太２にかかる位置に剥離シート８を粘着し、剥離シート８上にフローリング床材１０を接着した構成とする。前記放熱シート５とマット本体１間及び放熱シート５と基材シート６間及び前記剥離シート８とフローリング床材１０の接着強度に対して基材シート６と剥離シート８間の粘着強度を小さく設定する。フローリング床材１０の貼り替え時には、フローリング床材１０をバールで引き剥がしにかかると、前記接着強度の差で基材シート６上からフローリング床材１０を剥離シート８と一緒に剥がし取ることができる。その上で、再度剥離シート８を基材シート６上に粘着し、この上に新規のフローリング床材１０を接着する。【選択図】図４
2011075220.tif 000002
【特許請求の範囲】
【請求項１】
パネル板に一定の間隔でフローリング床材支持用の小根太を平行に挿入すると共に、前記パネル板の表面に冷暖房手段を組み付けて更にこの表面に放熱シートを粘着した構成のマット本体と、前記マット本体の放熱シートの上面であって、前記小根太が位置する部分に粘着された基材シートと、前記基材シートの上面に粘着された剥離シートと、前記剥離シートの上面に接着されるフローリング床材と、から成り、前記マット本体と放熱シート間及び放熱シートと基材シート間及び前記剥離シートとフローリング床材間の接着強度に対して基材シートと剥離シート間の粘着強度を小さく設定したこと、を特徴とするフローリング床材の下に施工される冷暖房装置。
【請求項２】
請求項１に記載の冷暖房手段とは、温水循環パイプ又は電熱ヒータを組み付けた暖房装置又は冷媒循環パイプを組み付けた冷房装置であること、を特徴とするフローリング床材の下に施工される冷暖房装置。
【請求項３】
請求項１又は２に記載の冷暖房装置が施工された部屋において、そのフローリング床材を貼り替える際は、フローリング床材に力をかけてこのフローリング床材を剥離シートと一緒に基材シート上から剥がしとり、次に新規に剥離シートを基材シート上に粘着し、その上でフローリング床材を剥離シート上に接着する冷暖房装置が施工された部屋におけるフローリング床材の貼り替え方法。
【発明の詳細な説明】
【技術分野】
【０００１】
本発明は、フローリング床材の下に施工される冷暖房装置と、この冷暖房装置が施工された部屋におけるフローリング床材の貼り替え方法に関する。
【背景技術】
【０００２】
暖房用の温水マットが施工された部屋において、フローリング床材のみを貼り替え、温水マットはそのまま残して再使用する方式の温水マット及びフローリング床材の貼り替え方法として、本件出願人は、特開２００８−１８５２４４号公報（特許文献１）に掲載された温水マットとフローリング床材の貼り替え方法を提案している。
【０００３】
この提案の温水マットは、マット本体の表面に形成した溝内に放熱用の温水パイプを配管すると共に、この温水パイプを含むマット本体の表面に放熱シートを貼り合わせ、更に、この放熱シートの表面に剥離層を形成して成る温水マットから成り、施工現場において裏面に接着剤を塗布して剥離層の表面にフローリング床材を貼り付ける内容である。
【０００４】
そして、フローリング床材を貼り替える場合には、フローリング床材を温水マット側の剥離層の表面から剥がしとり、次に、新規のフローリング床材の裏面に接着剤を塗布し、これを剥がしとった後の剥離層の表面に貼り付ける内容である。
【０００５】
また、特開２００８−１７５４９２号公報（特許文献２）には、小根太がパネル形成体から外れるのを抑制して作業性の向上を図ることが可能な床暖房パネルとして、加熱用長尺体２が装備された板状のパネル形成体４と小根太５とを並べて構成されるパネル本体４０と、そのパネル本体４０の表面側にパネル形成体４と小根太５とにわたって止着されるシート状均熱体３とが備えられ、シート状均熱体３に、小根太５の表面に対応する小根太用均熱体部分３Kとパネル形成体４の表面に対応するパネル形成体用均熱体部分３Pとを切り離す又は切り離すための切れ目３ｓが形成され、パネル本体４０の裏面側にパネル形成体４と小根太５とにわたって止着されるシート状保持体１４が備えられた床暖房パネルが紹介されている。
【先行技術文献】
【特許文献】
【０００６】
【特許文献１】特開２００８−１８５２４４号公報
【特許文献２】特開２００８−１７５４９２号公報
【発明の概要】
【発明が解決しようとする課題】
【０００７】
しかし、上記特許文献１に紹介されている床暖房パネルの場合、長年の使用によりフローリング床材が浮き上がったり、ズレたりすることがある。また、特許文献２においては、均熱体３において、小根太５の表面に対応する部分に切れ目３ｓを形成し、フローリング床材を剥がし取るときにこの切れ目３ｓの部分で小根太５にかかる部分のみの均熱体３を剥がし取り、他の部分の均熱体３はパネル形成体４の表面にそのまま残すようにしていることから、切れ目３ｓを形成するためには、例えば長さ１，７７０ｍｍ×幅２，６８２ｍｍのパネル形成体の場合、８本の小根太が挿入されているため、この８本の小根太に沿ってそれぞれ２本の切れ目３ｓを形成する必要があり、合計で１６筋の切れ目３ｓを形成することになる。したがって、この切れ目３ｓの形成作業に多くの手間と時間を要し、製作コストの上昇を招くという欠点がある。
【０００８】
また、上記特許文献２の場合、フローリング床材を剥がし取ると上記した切れ目３ｓのところで均熱体３が切れてしまい、パネルは小根太５を境としてバラバラになることから、これを一体化しておくために、パネルの裏面であって、小根太５にかかる部分にシート状保持体１４を貼り付けている。
【０００９】
しかし、この保持体１４の数も、小根太５と同数、つまり上記事例のパネルの場合で云えば８枚の保持体１４を小根太５の裏面側に沿って貼り付ける必要があることから、この保持体１４を貼り付けるのに多くの手間と時間を要し、更に製作には保持体１４を別に用意する必要があり、製作コストの上昇を招くという欠点がある。
【００１０】
本発明は、叙上の如き欠点に鑑みて提供されるものであって、その目的は、経年的にフローリング床材が、浮き上がったり、ズレたりした際に行うフローリング床材の貼り替えに際し、冷暖房装置はそのまま残し、フローリング床材側だけを剥がし取って新規のフローリング床材に貼り替えを行うことができる冷暖房装置とこの冷暖房装置が施工された部屋におけるフローリング床材の貼り替え方法を提供することである。
【課題を解決するための手段】
【００１１】
上記課題を解決するため、請求項１に記載の冷暖房装置は、パネル板に一定の間隔でフローリング床材支持用の小根太を平行に挿入すると共に、前記パネル板の表面に冷暖房手段を組み付けて更にこの表面に放熱シートを粘着した講成のマット本体と、前記マット本体の放熱シートの上面であって、前記小根太が位置する部分に粘着された基材シートと、前記基材シートの上面に粘着された剥離シートと、前記剥離シートの上面に接着されるフローリング床材と、から成り、前記マット本体と放熱シート間及び放熱シートと基材シート間及び剥離シートとフローリング床材間の接着強度に対して前記基材シートと剥離シート間の粘着強度を小さく設定したことを特徴とするものである。
【００１２】
この発明によると、パネル板の表面に貼り合わせた放熱シートはそのまま残し、特許文献２の場合のように切れ目３ｓを形成したり、保持体１４を貼り合わせたりする必要がなく、冷暖房装置の製作コストの低減と省資源化を図ることができる。
【００１３】
次に、請求項２に記載の冷暖房装置は、請求項１に記載の冷暖房装置において、パネル板には、温水循環パイプ又は電熱ヒータを組み付けて床暖房装置とするか、又は冷媒循環パイプを組み付けて床冷房装置として成ることを特徴とするものである。
【００１４】
次に、請求項３に記載の請求項１又は２に記載の冷暖房装置が施工された部屋におけるフローリング床材貼り替え方法は、フローリング床材に力をかけてこのフローリング床材を剥離シートと一緒に基材シート上から剥がしとり、次に新規に剥離シートを基材シート上に粘着し、その上でフローリング床材を剥離シート上に接着することを特徴とするものである。
【００１５】
この発明によると、フローリング床材の貼り替えに際し、フローリング床材をバールのようなもので小根太から剥がし取ると、マット本体と放熱シート間及び放熱シートと基材シート間及び剥離シートとフローリング床材間の接着強度に対して、基材シートと剥離シート間の粘着強度の方が小さく設定されているため、フローリング床材を剥離シートと一緒に基材シート上から簡単に剥がしとることができる。
【００１６】
この結果、次に新しいフローリング床材を施工する場合には、基材シートの上面に新規に剥離シートを貼り付け、この上にフローリング床材を貼り付けるだけで貼り替えを終ることができる。
【発明の効果】
【００１７】
本発明に係るフローリング床材の貼り替え用に開発された冷暖房装置は、特許文献２の場合のように、放熱シートに切れ目を入れたり、小根太の裏面のところに保持体を貼り付けたりしないため、製作コストの低減が可能である。
【００１８】
また、フローリング床材の貼り替えに際し、既設の冷暖房装置において、基材シートを貼り付けたマット本体はそのまま残し、フローリング床材と剥離シートのみを剥がし取り、ここに新規に剥離シートとフローリング床材を貼り替えるだけのため、従来のようにまだ使用できる既設の冷暖房装置を無駄にすることがなく、貼り替え経費の低減と省資源化を図ることができる。
【図面の簡単な説明】
【００１９】
【図１】本発明を実施した床暖房用温水マットの平面図である。
【図２】Ａ−Ａ’線拡大断面図である。
【図３】フローリング床材を施工した状態の図１におけるＡ−Ａ’線断面部分の説明図である。
【図４】フローリング床材を剥がし取っている状況の説明図である。
【発明を実施するための形態】
【第１実施形態】
【００２０】
請求項１に記載した発明であって、温水式床暖房装置としての温水マットに適用した実施形態を図１〜図３に基づき詳細に説明する。
【００２１】
図１は、本発明が実施された温水マットの平面図、図２は図１におけるＡ−Ａ’線拡大断面図、図３はフローリング床材を施工した状態の説明図である。
【００２２】
この図１〜図３において、符号の１は、発泡ポリスチレン製のパネル板で形成されたマット本体であって、このマット本体１には、木質または樹脂製の小根太２が一定の間隔で挿入されていると共に表面には配管溝３が形成され、この配管溝３には架橋ポリエチレン製の温水パイプ４が配管されている。５は前記温水パイプ４が配管されたマット本体１の上面全体に粘着剤５ａにより貼り合わされたアルミニュウム箔製の放熱シートである。
【００２３】
６は放熱シート５の上面であって、小根太２にかかり、小根太２より幅広に粘着剤７により貼り合わされたポリエチレンフィルム製の基材シート、８は剥離基材シート６の上面であって、小根太２にかかり、前記基材シート６より小幅に粘着剤９により貼り合わされたアルミニュウム箔製の剥離シートである。なお、剥離シート６の材質は、伝熱性の良好なものならばその他の材質のものでも良い。
【００２４】
そして、上記貼り合わせにおいて、図３に示すように放熱シート５とマット本体１間の粘着剤５ａの粘着強度及び放熱シート５と基材シート６間の粘着剤７の粘着強度、更に剥離シート８とフローリング床材１０間の接着剤１１の粘着強度に対して基材シート６と剥離シート８間の粘着強度は小さく設定されている。
【第２実施形態】
【００２５】
本実施形態は、請求項２に記載した温水パイプ２内に冷媒発生機から送られて来た冷媒、例えば冷水を循環させることにより床冷房を行う実施形態であって、装置の構造は実施例１と同一である。
【第３実施形態】
【００２６】
本実施形態は、請求項２に記載した電熱ヒータを温水パイプ２に替えてマット本体上に配置し、電熱ヒータで床暖房を行う床暖房装置の実施形態であって、温水パイプ２が電熱ヒータに替った以外の装置の構造は実施例１と同一である。
【第４実施形態】
【００２７】
次に、上記した構成の温水マットが施工された既設のフローリング床材の貼り替え方法（請求項３に対応）を図２〜図４に基づいて詳細に説明する。
【００２８】
先ず、図２に示すように、部屋の下地１２の上に第１実施形態で説明した温水マットを敷き込み、次に図３に示すように剥離シート８の上面に接着剤１１を利用してフローリング床材１０を貼り合わせることによりフローリング床材１０の施工を終る。
【００２９】
次に、フローリング床材１０の貼り替えを行う場合には、図４に示すように、フローリング床材１０をバール等で剥がすと、粘着強度の小さい基材シート６の上から剥離シート８と一緒にフローリング床材１０を剥がし取ることが出来る。
【００３０】
次に、新規にフローリング床材１０を貼り替える場合には、基材シート６の表面に再度剥離シート８粘着剤９で貼り付けたのち（図２）、この剥離シート８の上面に新規にフローリング床材１０を接着剤１１を用いて貼り付ける（図３）。
【００３１】
本発明によると、基材シート６の上面から粘着強度差を利用してフローリング床材１０を剥がし取るため、温水マット側に無理がかからず、基材シート６までは無傷で残し、何回の貼り替えにも対応することができる。
【産業上の利用分野】
【００３２】
１．温水式床暖房
２．電熱式床暖房
３．冷媒式床冷房
【符号の説明】
【００３３】
１  マット本体
２  小根太
３  配管溝
４  温水パイプ
５  放熱シート
５ａ  粘着剤
６  剥離基材シート
７  粘着剤
８  剥離シート
９  粘着剤
１０  フローリング床材
１１  接着剤
１２  下地
【図１】
2011075220.tif 000003
【図２】
2011075220.tif 000004
【図３】
2011075220.tif 000005
【図４】
2011075220.tif 000006